(57)【特許請求の範囲】
【請求項１】
上流から供給されるスラブを加熱する加熱炉と、この加熱炉の下流側に設けられた少なくても１台の第１粗ミルと、この第１粗ミルの下流側に設けられた厚み圧下プレスと、この厚み圧下プレスの下流側に設けられた少なくても１台の第２粗ミルと、この第２粗ミルの下流側に設けられた複数台の仕上ミルと、この仕上ミルの下流側に設けられた走間シャーと、この走間シャーの下流側に設けられた巻取機と、を備えたことを特徴とする熱間薄板圧延ライン。
【請求項２】
通常長さのスラブの場合は、前記加熱炉で加熱後前記第１粗ミルまたは前記厚み圧下プレスで粗圧延し、前記第２粗ミルで粗圧延後仕上ミルで仕上げ圧延して前記巻取機で巻取り、長尺スラブの場合は、前記厚み圧下プレスまたは前記厚み圧下プレスと前記第２粗ミルまたは前記第１粗ミルと前記厚み圧下プレスと前記第２粗ミルで粗圧延し、前記仕上ミルで仕上げ圧延後前記巻取機で巻取り前記走間シャーにより所定長さで切断することを特徴とする請求項１記載の熱間薄板圧延ライン。
【請求項３】
前記加熱炉と前記第１粗ミルとの間に幅圧下プレスを設けたことを特徴とする請求項１記載の熱間薄板圧延ライン。
【請求項４】
前記幅圧下プレスと、前記厚み圧下プレスまたは前記厚み圧下プレスと前記第２粗ミルまたは前記第１粗ミルと前記厚み圧下プレスと前記第２粗ミルと、前記仕上ミルとで板幅および／または板厚の異なる薄板を圧延し、その異なる薄板ごとに前記巻取機で巻取り前記走間シャーで切断することを特徴とする請求項３記載の熱間薄板圧延ライン。
【発明の詳細な説明】
【０００１】
【発明の属する技術分野】
本発明は、通常長さのスラブおよび長尺スラブを圧延する熱間薄板圧延ラインに関する。
【０００２】
【従来の技術】
従来の通常のスラブの長さは最大でも１２ｍ程度である。一方最近では連続鋳造設備により１００ｍを越える長尺スラブも生産されるようになった。
【０００３】
【発明が解決しようとする課題】
従来通常長さのスラブと長尺スラブとの両方を熱間薄板圧延する設備がなく、この設備が望まれていた。また長尺スラブの場合、１個のスラブから板幅、板幅と板厚の異なる薄板毎に巻取ったコイルを製造する設備がなく、この設備が望まれていた。
【０００４】
本発明は上述の問題に鑑みてなされたもので、通常長さのスラブと長尺スラブとの両方を熱間薄板圧延する設備を提供することを目的とする。また１個の長尺スラブから板幅、板幅と板厚の異なる薄板を巻取ったコイルを製造する設備を提供することを目的とする。
【０００５】
【課題を解決するための手段】
上記目的を達成するため、請求項１の発明では、上流から供給されるスラブを加熱する加熱炉と、この加熱炉の下流側に設けられた少なくても１台の第１粗ミルと、この第１粗ミルの下流側に設けられた厚み圧下プレスと、この厚み圧下プレスの下流側に設けられた少なくても１台の第２粗ミルと、この第２粗ミルの下流側に設けられた複数台の仕上ミルと、この仕上ミルの下流側に設けられた走間シャーと、この走間シャーの下流側に設けられた巻取機と、を備える。
【０００６】
通常長さのスラブに対しては、加熱炉、第１粗ミルと第２粗ミル、仕上ミル、巻取機を用い、長尺スラブに対しては、圧延ラインに入る前に加熱された状態で入ってくるので、加熱炉は用いず、厚み圧下プレスまたは厚み圧下プレスと第２粗ミルまたは第１粗ミルと厚み圧下プレスと第２粗ミル、仕上ミル、走間シャー、巻取機を用いる。
【０００７】
請求項２の発明では、請求項１において、通常長さのスラブの場合は、前記加熱炉で加熱後前記第１粗ミルまたは前記厚み圧下プレスで粗圧延し、前記第２粗ミルで粗圧延後仕上ミルで仕上げ圧延して前記巻取機で巻取り、長尺スラブの場合は、前記厚み圧下プレスまたは前記厚み圧下プレスと前記第２粗ミルまたは前記第１粗ミルと前記厚み圧下プレスと前記第２粗ミルで粗圧延し、前記仕上ミルで仕上げ圧延後前記巻取機で巻取り前記走間シャーにより所定長さで切断する。
【０００８】
通常長さのスラブの場合、第１粗ミルを使用する場合、通常はリバース圧延も使用し複数パスで圧延するが、厚み圧下プレスでは１パスで圧下する。長尺スラブの場合、粗圧延は厚み圧下プレスまたは厚み圧下プレスと第２粗ミルまたは第１粗ミルと厚み圧下プレスと第２粗ミルのいずれかを粗圧延で達成すべき板厚に応じて選択する。また１つのコイルでは巻取りきれないので、複数のコイルに巻取るため走間シャーを用いる。
【０００９】
請求項３の発明では、前記加熱炉と前記第１粗ミルとの間に幅圧下プレスを設ける。
【００１０】
幅圧下プレスを設けることにより板幅の異なる薄板のコイルを製造することができる。
【００１１】
請求項４の発明では、前記幅圧下プレスと、前記厚み圧下プレスまたは前記厚み圧下プレスと前記第２粗ミルまたは前記第１粗ミルと前記厚み圧下プレスと前記第２粗ミルと、前記仕上ミルとで板幅および／または板厚の異なる薄板を圧延し、その異なる薄板ごとに前記巻取機で巻取り前記走間シャーで切断する。
【００１２】
１個のコイルに巻き取れない場合、複数個のコイルに分けて圧延した薄板を巻き取ることになる。この巻き取るコイル毎に巻き取る薄板の幅、または幅と板厚を変えて圧延できる。幅圧下プレスによりスラブの幅をコイル１個に巻き取る分ごとに所望の幅に圧下する。またその幅となるスラブの長さに応じた長さにわたり、厚み圧下プレスまたは厚み圧下プレスと第２粗ミルまたは第１粗ミルと厚み圧下プレスと第２粗ミルとを用いてコイルで巻き取る薄板が所望の板厚となるよう圧下や圧延を行う。これにより１個のスラブから、板幅、板幅と板厚の異なるコイルを複数製造することができる。
【００１３】
【発明の実施の形態】
以下、本発明の実施形態について図面を参照して説明する。
図１は本発明の実施形態の熱間薄板圧延ラインを示す。被圧延材１のスラブは図の左側から入り、右側に流れてゆく。圧延対象のスラブは最大１２ｍ程度の通常スラブと、連続鋳造され１００ｍ程度のものも使用される長尺スラブである。通常スラブは直角に曲がる矢印で示す経路で加熱炉２に搬入され、加熱された後圧延ラインに入る。長尺スラブは図示しない加熱炉で加熱された後、圧延ラインに搬入されてくる。加熱炉２の出側には幅圧下プレス３が設けられスラブの板幅をスラブを搬送しながら圧下し所望の板幅とする。幅圧下プレス３は片幅０〜３００ｍｍ程度の圧下が可能であるが、さらに大きな値までも圧下可能である。幅圧下プレス３の出側には第１粗ミル４が設けられている。第１粗ミル４にはその入側に竪形ロールよりなり入ってくるスラブ幅を片幅０〜５０ｍｍ程度圧下する幅サイジングロール４ａが設けられている。
【００１４】
第１粗ミル４の出側には厚み圧下プレス５が設けられ、スラブの厚みをスラブを搬送しながら大幅に圧下する。厚み圧下プレス５の出側には第２粗ミル６が設けられている。台数は図では２台の場合を示すが、粗圧延する厚みに応じて台数は決められる。第２粗ミル６にもそれぞれ幅サイジングロール６ａが入側に設けられている。なお、第１粗ミル４、第２粗ミル６にはリバース機能を設けてもよい。第２粗ミル６の出側には複数台、通常５〜７台からなる仕上ミル７が設けられている。仕上ミル７の出側には被圧延材１をその搬送中に切断する走間シャー８が設けられ、この出側に被圧延材１をコイルに巻き取る巻取機９が設けられている。巻取機９は交互に巻き取りできるように２台設けられている。
【００１５】
図２は幅圧下プレス３の一例であり、平面図を示す。幅圧下プレス３は、偏心運動するクランク３ａと、この偏心によりスラブの板幅方向左右、スラブ流れ方向前後に揺動する大きな重量のスライダー３ｂと、このスライダー３ｂに取付けられた金型３ｃとを備える。スライダー３ｂの左右方向の動きでスラブ幅を圧下するが、この圧下中にスラブ流れ方向に移動することにより、搬送されているスラブを停止させることなく連続的に圧下することができる。
【００１６】
図３は厚み圧下プレス５の一例を示し、側面図を示す。厚み圧下プレス５は、偏心運動するクランク５ａと、この偏心動作を金型５ｃに伝達する連結材５ｂと、スラブを圧下する金型５ｃおよび金型５ｃを水平に保持するシリンダ５ｄとからなる。金型５ｃは偏心運動による上下運動で圧下するとともにフラブ流れ方向にも偏心運動するので、圧下しながらスラブを停止することなく連続的に搬送することができる。
【００１７】
次に動作について説明する。通常スラブの場合は、加熱炉２から圧延ラインに搬入されると、第１粗ミル４で厚みを圧下後、第２粗ミル６で圧下し、３０ｍｍ前後にした後、仕上ミル７で所定の薄板、例えば１．５ｍｍにした後、巻取機９でコイルに巻き取る。なお、スラブの厚みによっては、第１粗ミル４をリバース圧延機とし使用する。また第１粗ミル４に代えて厚み圧下プレス３を使用してもよく、両者は何れかが故障したとき代替えとして使用することができる。
【００１８】
長尺スラブの場合は、上流側の図示しない装置で加熱された長尺スラブが圧延ラインに搬入される。スラブの厚みに応じて第１粗ミル４と第２粗ミル６は使用するが、厚み圧下プレス５は必ず使用する。なお長尺スラブではその長さ故にリバース圧延はできない。粗圧延後、仕上ミル７で仕上げ圧延を行い、所定の薄板とした後巻取機９で巻取り、所定のコイル径になったとき、走間シャー８で切断し、もう一方の巻取機９への巻取りを開始する。以上のようにスラブの長さが変わっても、これに応じた圧延を適切に行うことができる。
【００１９】
以上の圧延は製品となる薄板の板幅を一定とし、板厚は粗圧延で調整することにより異なる厚みの薄板を製作する場合であるが、幅圧下プレス３を用いることにより、板幅の異なる薄板を製作することができる。幅圧下プレス３では、コイル１個の長さに相当するスラブ長さ毎のスラブ幅を決めて圧下作業を行う。
【００２０】
図４は製品となる薄板の板幅と板厚が異なる被圧延材１を模式的に示したもので、それぞれの幅Ｗや厚みｔごとにコイルに巻き取って切断する。なお、１個のスラブを圧延中、このような幅、厚みの変更が可能であることは長尺スラブの場合、特に有益である。
【００２１】
【発明の効果】
以上の説明より明らかなように、本発明は、粗ミルや仕上ミル、厚み圧下プレスや幅圧下プレス、走間シャーや巻取機を適切に配置することにより、通常スラブと長尺スラブのいずれの圧延も適切に行うことができる。また連続して圧延しながら板厚、板幅の変更が可能で、この変更のある薄板毎にコイルに巻き取ることができる。
【図面の簡単な説明】
【図１】本発明の実施形態の熱間薄板圧延ラインを示す図である。
【図２】幅圧下プレスの一例を示す図である。
【図３】厚み圧下プレスの一例を示す図である。
【図４】製品となる薄板の板幅と板厚が異なる被圧延材を模式的に示した図である。
【符号の説明】
１  被圧延材
２  加熱炉
３  幅圧下プレス
３ａ  クランク
３ｂ  スライダー
３ｃ  金型
４  第１粗ミル
４ａ  幅サイジングロール
５  厚み圧下プレス
５ａ  クランク
５ｂ  連結材
５ｃ  金型
５ｄ  シリンダ
６  第２粗ミル
６ａ  幅サイジングロール
７  仕上ミル
８  走間シャー
９  巻取機
【図１】
0003991142.tif 000002
【図２】
0003991142.tif 000003
【図３】
0003991142.tif 000004
【図４】
0003991142.tif 000005